(57)【要約】【課題】小型化もしくは変倍比の確保を行っても倍率の色収差等の変動を抑えやすいズームレンズなどを提供すること。【解決手段】物体側から像側に順に、少なくとも１つの負レンズ群を含み広角端にて負の物体側レンズグループと、少なくとも１つの正レンズ群を含み広角端にて正の像側レンズグループとからなり、広角端よりも望遠端において、物体側レンズグループと像側レンズグループとの間の距離は狭まり、像側レンズグループ中の少なくとも１つの正レンズ群は、物体側から像側に順に、像側に凹面を向けた負レンズである物体側レンズと像側に凹面を向けた正メニスカスレンズである像側レンズを有するダブレット接合レンズ成分を有し、且つダブレット接合レンズ成分は正レンズ群中で最も像側に配置され、所定の条件式を満足する。【選択図】図１
2011118037.tif 000002
【特許請求の範囲】
【請求項１】
複数のレンズ群を含み、各レンズ群の間の距離を変化させて広角端から望遠端への変倍を行うズームレンズであって、
前記ズームレンズは、物体側から像側に順に、少なくとも１つの負屈折力の負レンズ群を含み広角端にて負の屈折力の物体側レンズグループと、
少なくとも１つの正屈折力の正レンズ群を含み広角端にて正の屈折力の像側レンズグループとからなり、
広角端よりも望遠端において、前記物体側レンズグループと前記像側レンズグループとの間の距離は狭まり、
前記像側レンズグループ中の前記少なくとも１つの正屈折力の正レンズ群は、物体側から像側に順に、像側に凹面を向けた負レンズである物体側レンズと像側に凹面を向けた正メニスカスレンズである像側レンズを有するダブレット接合レンズ成分を有し、且つ前記ダブレット接合レンズ成分は前記正レンズ群中で最も像側に配置され、
以下の条件式を満足することを特徴とするズームレンズ。
０．２０＜Ｒｒ／ｆＩＰ１＜１．４０      ・・・（１）
０．５＜ＳＦｃｅｍ＜２０．０            ・・・（３）
ただし、
ＳＦｃｅｍ＝（Ｒｆ＋Ｒｒ）／（Ｒｆ−Ｒｒ）であり、
Ｒｆは、前記ダブレット接合レンズ成分中の前記物体側レンズの物体側面の曲率半径、
Ｒｒは、前記ダブレット接合レンズ成分中の前記像側レンズの像側面の曲率半径、
ｆＩＰ１は、前記ダブレット接合レンズ成分を含む正レンズ群の焦点距離、
である。
【請求項２】
前記物体側レンズグループは広角端から望遠端への変倍の際に常に負の屈折力であり、前記像側レンズグループは広角端から望遠端への変倍の際に常に正の屈折力であることを特徴とする請求項１に記載のズームレンズ。
【請求項３】
前記ダブレット接合レンズ成分を含む正レンズ群は広角端から望遠端への変倍にて以下の条件式を満足することを特徴とする請求項１または２に記載のズームレンズ。
１．３＜βＩＰ１Ｔ／βＩＰ１Ｗ＜４０．０      ・・・（Ａ）
０．３０＜（βＩＰ１Ｔ／βＩＰ１Ｗ）／（ｆＴ／ｆＷ）＜１．５０  ・・・（Ｂ）
ただし、
βＩＰ１Ｔは、望遠端における前記ダブレット接合レンズ成分を含む正レンズ群の倍率、
βＩＰ１Ｗは、広角端における前記ダブレット接合レンズ成分を含む正レンズ群の倍率、
ｆＴは、望遠端におけるズームレンズ全系の焦点距離、
ｆＷは、広角端におけるズームレンズ全系の焦点距離、
である。
【請求項４】
前記ダブレット接合レンズ成分が以下の条件式を満足することを特徴とする請求項１乃至３のいずれか一項に記載のズームレンズ。
−６０＜νＯ−νＩ＜−１５    ・・・（２）
ただし、
νＯは、前記ダブレット接合レンズ成分中の前記物体側レンズのアッベ数、
νＩは、前記ダブレット接合レンズ成分中の前記像側レンズのアッベ数、
である。
【請求項５】
前記ダブレット接合レンズ成分が、以下の条件式を満足するメニスカス形状であることを特徴とする請求項１乃至４のいずれか一項に記載のズームレンズ。
１．０５＜ＳＦｃｅｍ＜２０．０    ・・・（３）’
【請求項６】
前記ダブレット接合レンズ成分中の前記像側レンズが以下の条件式を満足することを特徴とする請求項１乃至５のいずれか一項に記載のズームレンズ。
１．４３＜ＮＩ＜１．８２    ・・・（４）
４５．０＜νＩ＜９５．０    ・・・（５）
ただし、
ＮＩは、前記ダブレット接合レンズ成分中の前記像側レンズのｄ線での屈折率、
νＩは、前記ダブレット接合レンズ成分中の前記像側レンズのアッベ数、
である。
【請求項７】
前記ダブレット接合レンズ成分中の前記物体側レンズが以下の条件式を満足することを特徴とする請求項１乃至６のいずれか一項に記載のズームレンズ。
１．７０＜ＮＯ＜２．２５      ・・・（６）
１５．０＜νＯ＜４５．０      ・・・（７）
ＮＯは、前記ダブレット接合レンズ成分中の前記物体側レンズのｄ線での屈折率、
νＯは、前記ダブレット接合レンズ成分中の前記物体側レンズのアッベ数、
である。
【請求項８】
前記ダブレット接合レンズ成分を含む正レンズ群は、前記ダブレット接合レンズ成分の物体側に配置された少なくとも１つの正レンズ成分を有することを特徴とする請求項１乃至７のいずれか一項に記載のズームレンズ。
ただし、レンズ成分は、有効光路中にて空気と接触する面が物体側面と像側面の２面のみであるレンズ体を意味する。
【請求項９】
前記ダブレット接合レンズ成分を含む正レンズ群は、前記ダブレット接合レンズ成分の物体側に配置された複数の正レンズ成分を有することを特徴とする請求項１乃至７のいずれか一項に記載のズームレンズ。
【請求項１０】
前記ダブレット接合レンズ成分を含む正レンズ群は、物体側から像側に順に、正屈折力の単レンズ成分、物体側から順に正レンズと負レンズからなる正屈折力の接合レンズ成分、前記ダブレット接合レンズ成分からなることを特徴とする請求項１乃至７のいずれか一項に記載のズームレンズ。
【請求項１１】
前記ダブレット接合レンズ成分が以下の条件式を満足する負の屈折力を有することを特徴とする請求項８乃至１０のいずれか一項に記載のズームレンズ。
−５．００＜ｆｃｅｍ／ｆＩＰ１＜−０．１０      ・・・（８）
ただし、
ｆｃｅｍは、前記ダブレット接合レンズ成分の焦点距離、
である。
【請求項１２】
前記ダブレット接合レンズ成分の物体側面とその物体側直前に配置されたレンズの像側面との距離は光軸上よりも周辺部で大きく、且つ以下の条件式を満足することを特徴とする請求項８乃至１１のいずれか一項に記載のズームレンズ。
−３．０＜ＳＦａｉｒ＜２０．０      ・・・（Ｃ）
ただし、
ＳＦａｉｒ＝（Ｒｆｒ＋Ｒｆ）／（Ｒｆｒ−Ｒｆ）であり、
Ｒｆｒは、前記ダブレット接合レンズ成分の物体側直前に配置された前記レンズの像側面の曲率半径、
である。
【請求項１３】
前記物体側レンズグループは、前記物体側レンズグループ中の前記少なくとも１つの負屈折力の負レンズ群よりも物体側に配置された正屈折力の正レンズ群を含むことを特徴とする請求項１乃至１２のいずれか一項に記載のズームレンズ。
【請求項１４】
前記物体側レンズグループ中の前記正レンズ群が以下の条件式を満足することを特徴とする請求項１３に記載のズームレンズ。
０．２０＜ｆＦＰ／ｆＴ＜１．２０      ・・・（９）
ただし、
ｆＦＰは、前記物体側レンズグループ中の前記正レンズ群の焦点距離、
ｆＴは、望遠端における前記ズームレンズ全系の焦点距離、
である。
【請求項１５】
前記物体側レンズグループ中の前記少なくとも１つの負屈折力の負レンズ群が以下の条件式を満足することを特徴とする請求項１３又は１４に記載のズームレンズ。
−０．８０＜ｆＦＮ／ｆＴ＜−０．１０      ・・・（１０）
ただし、
ｆＦＮは、前記物体側レンズグループ中の前記負レンズ群の焦点距離、
ｆＴは、望遠端における前記ズームレンズ全系の焦点距離、
である。
【請求項１６】
前記物体側レンズグループ中の前記正レンズ群と前記少なくとも１つの負屈折力の負レンズ群との間の距離が広角端よりも望遠端にて広がり、前記負レンズ群は広角端から望遠端への変倍に際して移動することを特徴とする請求項１３乃至１５のいずれか一項に記載のズームレンズ。
【請求項１７】
前記物体側レンズグループ中の前記正レンズ群が前記ズームレンズ中で最も物体側に配置されたレンズ群であり、且つ、広角端から望遠端への変倍の際に位置が固定であることを特徴とする請求項１３乃至１６のいずれか一項に記載のズームレンズ。
【請求項１８】
前記物体側レンズグループ中の前記正レンズ群は光軸を反射する反射面を有することを特徴とする請求項１７に記載のズームレンズ。
【請求項１９】
前記像側レンズグループは、前記ダブレット接合レンズ成分を含む正レンズ群よりも像側に配置された正屈折力の第２の正レンズ群を含むことを特徴とする請求項１乃至１８のいずれか一項に記載のズームレンズ。
【請求項２０】
前記像側レンズグループ中の前記ダブレット接合レンズ成分を含む前記正レンズ群が以下の条件式を満足することを特徴とする請求項１９に記載のズームレンズ。
０．１５＜ｆＩＰ１／ｆＴ＜１．００      ・・・（１１）
ただし、
ｆＴは、望遠端における前記ズームレンズ全系の焦点距離、
である。
【請求項２１】
前記像側レンズグループ中の前記第２の正レンズ群が以下の条件式を満足することを特徴とする請求項１９または２０に記載のズームレンズ。
０．４０＜ｆＩＰ２／ｆＴ＜２．５０      ・・・（１２）
ただし、
ｆＩＰ２は、前記第２の正レンズ群の焦点距離、
ｆＴは、望遠端における前記ズームレンズ全系の焦点距離、
である。
【請求項２２】
前記像側レンズグループ中の前記ダブレット接合レンズ成分を含む前記正レンズ群と前記第２の正レンズ群との間の距離が広角端よりも望遠端にて広がり、
前記ダブレット接合レンズ成分を含む前記正レンズ群は広角端から望遠端への変倍に際して移動することを特徴とする請求項１９乃至２１のいずれか一項に記載のズームレンズ。
【請求項２３】
以下の条件式を満足することを特徴とする請求項１乃至２２のいずれか一項に記載のズームレンズ。
１．２０＜ＬＴ／ｆＴ＜４．００      ・・・（１３）
ただし、
ＬＴは、望遠端における前記ズームレンズの全長、
ｆＴは、望遠端における前記ズームレンズ全系の焦点距離、
である。
【請求項２４】
前記物体側レンズグループと前記像側レンズグループとの間に配置された明るさ絞りを有することを特徴とする請求項１乃至２３のいずれか一項に記載のズームレンズ。
【請求項２５】
前記明るさ絞りは、広角端から望遠端への変倍の際に位置が固定であることを特徴とする請求項２４に記載のズームレンズ。
【請求項２６】
前記物体側レンズグループは、物体側から像側に順に、正屈折力の正レンズ群と前記負レンズ群とからなり、
前記像側レンズグループは、２つの正屈折力の正レンズ群からなり、そのうちのいずれかの前記正レンズ群が前記ダブレット接合レンズ成分を含む正レンズ群であることを特徴とする請求項１乃至２５のいずれか一項に記載のズームレンズ。
【請求項２７】
前記物体側レンズグループは、物体側から像側に順に、正屈折力の正レンズ群と前記負レンズ群とからなり、
前記像側レンズグループは、３つの正屈折力の正レンズ群からなり、そのうちのいずれかの前記正レンズ群が前記ダブレット接合レンズ成分を含む正レンズ群であることを特徴とする請求項１乃至２５のいずれか一項に記載のズームレンズ。
【請求項２８】
前記物体側レンズグループは、前記負レンズ群からなり、
前記像側レンズグループは、２つの正屈折力の正レンズ群からなり、そのうちのいずれかの前記正レンズ群が前記ダブレット接合レンズ成分を含む正レンズ群であることを特徴とする請求項１乃至８のいずれか一項に記載のズームレンズ。
【請求項２９】
複数のレンズ群を含み、各レンズ群の間の距離を変化させて広角端から望遠端への変倍を行うズームレンズと、
前記ズームレンズの像側に配置された撮像面を有し且つ前記ズームレンズにより前記撮像面上に形成された像を電気信号に変換する撮像素子と、を有し、
前記ズームレンズが請求項１乃至２８のいずれか一項に記載のズームレンズであることを特徴とする撮像装置。
【請求項３０】
前記ズームレンズによるディストーションを含んだ前記電気信号を、画像処理によりディストーションを補正した画像信号に変換する画像変換部を有することを特徴とする請求項２９に記載の撮像装置。
【発明の詳細な説明】
【技術分野】
【０００１】
本発明は、ズームレンズに関するものである。あるいは、ズームレンズを用いたデジタルカメラやビデオカメラなどの撮像装置に関するものである。
【背景技術】
【０００２】
近年では、フィルムカメラに代わり、ＣＣＤやＣＭＯＳのような撮像素子を用いて被写体を撮影するデジタルカメラが主流となっている。更に、デジタルカメラの分野では、業務用の高機能タイプからコンパクトな普及タイプまで幅広い範囲でいくつものカテゴリーを有するようになってきている。
【０００３】
コンパクトな普及タイプのカテゴリーに属するタイプのデジタルカメラ（いわゆるコンパクトカメラや小型のレンズ交換式カメラ）のユーザーは、場所、時間を問わず手軽に多様なシーンで撮影を楽しみたいという要望をもっている。そのため、撮影レンズ系にも一層の小型化が要望されている。
【０００４】
最近におけるカメラボディの薄型化技術の主流は、沈胴式鏡筒を採用する方法である。沈胴式鏡筒は、撮影時には光学系がカメラボディ内から突出するが携帯時には収納するような構成である。
また、別のタイプの薄型化技術としては、光学系の光路（光軸）をミラーやプリズムなど反射光学部材で反射させる構成をとるものが知られている。この構成では、沈胴式鏡筒に見られるようなカメラの使用状態への立ち上げ時間（レンズのせり出し時間）がなく、防水・防塵上も好ましく、また、奥行き方向が極めて薄いカメラとすることができる。
【０００５】
そのようなタイプのデジタルカメラは、最も物体側のレンズ群を変倍時に位置が固定のレンズ群とし、そのレンズ群中に反射光学部材を設け、反射後の光路はカメラボディの縦あるいは横方向に折り曲げ、奥行き方向の寸法を極力薄くできる。
【０００６】
例えば、以下の特許文献１には、最も物体側のレンズ群に反射光学部材を配置し、物体側から順に正屈折力の第１レンズ群、負屈折力の第２レンズ群を備えた負屈折力の物体側レンズグループと、物体側から順に正屈折力の第３レンズ群、正屈折力の第４レンズ群からなるズームレンズが開示されている。このような構成とすることで、奥行き方向の寸法を抑えながらも比較的良好な光学性能を確保している。
【０００７】
ズームレンズ群の小型化のためには、特許文献１に開示されるズームレンズのように、後側レンズグループ中の正レンズ群の最も像側のレンズ面を凹面にするとよい。それにより、像側に向けた凹面にて軸外光線を光軸から離れる方向に屈折させやすくなり、撮像面の大きさに対するズームレンズの有効サイズを小さくしやすくなる。
【０００８】
光軸が直線のタイプ（交換レンズや沈胴式タイプ）のズームレンズにおいては径方向と全長の小型化につながる。また、光軸を反射するタイプのズームレンズにおいてはカメラボディの薄型化につながる。
【０００９】
最も像側のレンズ面を凹面にした正レンズ群は、このレンズ群を小型に構成できる。このため、特許文献１に開示されているように、この正レンズ群の正の屈折力を十分に確保して、変倍に寄与するレンズ群とすることが多い。
【先行技術文献】
【特許文献】
【００１０】
【特許文献１】特開２００６‐３４３６２２号公報
【発明の概要】
【発明が解決しようとする課題】
【００１１】
しかしながら、正レンズ群の屈折力を確保した状態で、最も像側の凹面の曲率を大きくしすぎると、変倍時における倍率の色収差の補正が困難となってくる。接合レンズを用いることで色収差補正には有利となるが、接合レンズ中の接合面への光束の入射角が大きくなりすぎると製造誤差が生じた際の収差変動が生じやすくなる。そのため、安定した光学性能の確保と変倍比の確保の両立が難しくなってくる。
【００１２】
本願発明は、このような課題に鑑み、小型化もしくは変倍比の確保を行っても倍率の色収差等の変動を抑えやすいズームレンズを提供することを目的とするものである。
更には、沈胴式鏡筒に見られるようなカメラの使用状態への立ち上げ時間（レンズのせり出し時間）がなく、防水・防塵上も好ましく、また、奥行き方向が極めて薄い撮像装置とするためにズームレンズの光路を反射させる構成がとりやすいズームレンズを提供することを目的とするものである。
更には、上述のズームレンズを備えた撮像装置を提供することを目的とするものである。
【課題を解決するための手段】
【００１３】
上述した課題を解決し、目的を達成するために、本発明のズームレンズは、複数のレンズ群を含み、各レンズ群の間の距離を変化させて広角端から望遠端への変倍を行うズームレンズであって、
ズームレンズは、物体側から像側に順に、少なくとも１つの負屈折力の負レンズ群を含み広角端にて負の屈折力の物体側レンズグループと、
少なくとも１つの正屈折力の正レンズ群を含み広角端にて正の屈折力の像側レンズグループとからなり、
広角端よりも望遠端において、物体側レンズグループと像側レンズグループとの間の距離は狭まり、
像側レンズグループ中の少なくとも１つの正屈折力の正レンズ群は、物体側から像側に順に、像側に凹面を向けた負レンズである物体側レンズと像側に凹面を向けた正メニスカスレンズである像側レンズを有するダブレット接合レンズ成分を有し、且つダブレット接合レンズ成分は正レンズ群中で最も像側に配置され、
以下の条件式を満足することを特徴とする。
０．２０＜Ｒｒ／ｆＩＰ１＜１．４０      ・・・（１）
０．５＜ＳＦｃｅｍ＜２０．０      ・・・（３）
ただし、
ＳＦｃｅｍ＝（Ｒｆ＋Ｒｒ）／（Ｒｆ−Ｒｒ）であり、
Ｒｆは、ダブレット接合レンズ成分中の物体側レンズの物体側面の曲率半径、
Ｒｒは、ダブレット接合レンズ成分中の像側レンズの像側面の曲率半径、
ｆＩＰ１は、ダブレット接合レンズ成分を含む正レンズ群の焦点距離、
である。
【００１４】
この構成により、物体側レンズグループと像側レンズグループとの屈折力配分により、射出瞳を像面から遠ざけやすくなると共に、広角端での焦点距離を短くでき画角の確保に有利となる。
また、正レンズグループの正レンズ群の最も像側のレンズ成分を上述のダブレット接合レンズ成分とすることで、色収差の補正に有利となる。
特に、この接合レンズ成分を前述のように負メニスカスレンズと正メニスカスレンズの順で構成し、軸外光線を光軸から離れる方向に屈折させることでズームレンズの小型化に有利になる。同時に、この正メニスカスレンズに分散の低い材料を使用でき、変倍時における倍率の色収差の変動を抑えやすくなり、正レンズ群の屈折力を確保して高変倍比化を行っても光学性能を確保できる。
接合面が像側に向けた曲率半径の小さい面にできるので、この接合面に入射する有効光束の入射角を小さくしやすくなり、製造誤差による収差の低減にも有利となる。
【００１５】
条件式（１）は、ダブレット接合レンズ成分中の像側レンズの像側面の好ましい曲率半径を特定するものである。
条件式（１）の下限値を下回らないようにして、像側面の曲率の過剰を抑えることで、倍率色収差の変動をより抑えやすくなる。加えて、その他の軸外諸収差も抑えやすくなる。
条件式（１）の上限値を上回らないように、像側面の曲率を確保することで、小型化に有利となる。加えて、正レンズ群での球面収差やコマ収差の補正機能の確保にも有利となる。
【００１６】
条件式（３）は接合レンズ成分の好ましい形状を特定するものである。
条件式（３）の下限値を下回らないようにして、軸上色収差の補正過剰や偏心誤差の影響を抑えることが好ましい。
条件式（３）の上限値を上回らないようにすることで軸上色収差の補正機能の確保に有利となる。
なお、レンズグループは、１つのレンズ群からなる構成でもよいし複数のレンズ群からなる構成でもよい。
レンズ群は可変空気間隔で区切られる１つまたは複数のレンズの集合体である。
【００１７】
本発明のズームレンズは、上記構成を基本構成としている。さらに、以下の事項の一つもしくは複数を同時に満足することがより好ましい。
また、ズームレンズがフォーカシング機能を持つ場合は、各発明は、最も遠距離に合焦した状態での構成とする。
【００１８】
物体側レンズグループは広角端から望遠端への変倍の際に常に負の屈折力であり、像側レンズグループは広角端から望遠端への変倍の際に常に正の屈折力であることが好ましい。
【００１９】
この構成により、広角端から望遠端にかけて、射出瞳を像面から離すことに有利となる。
ダブレット接合レンズ成分を含む正レンズ群は、広角端から望遠端への変倍にて、以下の条件式を満足することが好ましい。
１．３＜βＩＰ１Ｔ／βＩＰ１Ｗ＜４０．０      ・・・（Ａ）
０．３０＜（βＩＰ１Ｔ／βＩＰ１Ｗ）／（ｆＴ／ｆＷ）＜１．５０  ・・・（Ｂ）
ただし、
βＩＰ１Ｔは、望遠端におけるダブレット接合レンズ成分を含む正レンズ群の倍率、
βＩＰ１Ｗは、広角端におけるダブレット接合レンズ成分を含む正レンズ群の倍率、
ｆＴは、望遠端におけるズームレンズ全系の焦点距離、
ｆＷは、広角端におけるズームレンズ全系の焦点距離、
である。
【００２０】
条件式（Ａ）はダブレット接合レンズ成分を含む正レンズ群の好ましい変倍比を特定するものである。条件式(Ｂ)はズームレンズ全体のズーム比に対する正レンズ群の好ましい変倍負担率を特定するものである。
【００２１】
条件式（Ａ）、（Ｂ）の下限値を下回らないようにすることで、正レンズ群の変倍機能を確保しても本発明においては倍率色収差変動を抑えられるので変倍比確保に有利となる。
条件式（Ａ）、（Ｂ）の上限値を上回らないようにすることで、正レンズ群の変倍比を適度に抑えることができ、ズームレンズ全長の小型化につながり好ましい。
【００２２】
また、ダブレット接合レンズ成分が以下の条件式を満足することが好ましい。
−６０＜νＯ−νＩ＜−１５      ・・・（２）
ただし、
νＯは、ダブレット接合レンズ成分中の物体側レンズのアッベ数、
νＩは、ダブレット接合レンズ成分中の像側レンズのアッベ数、
である。
【００２３】
条件式（２）はダブレット接合レンズ成分の好ましい材料を特定するものである。
条件式（２）の下限値を下回らないようにして、材料の低コスト化を行うことが好ましい。
条件式（２）の上限値を上回らないようにしてアッベ数差を確保することで色収差補正に有利となる。
【００２４】
また、ダブレット接合レンズ成分が、以下の条件式を満足するメニスカス形状であることが好ましい。
１．０５＜ＳＦｃｅｍ＜  ２０．０      ・・・（３’）
【００２５】
条件式（３’）は条件式（３）の下限値をより限定することで、接合レンズ成分の形状をメニスカス形状に限定したものである。
条件式（３’）の下限値を下回らないようにして、接合レンズ成分のメニスカス形状を確保することで、主点を物体側よりにし、変倍比の確保に有利となる。軸上色収差の補正過剰の低減等にも好ましい。
【００２６】
また、ダブレット接合レンズ成分中の像側レンズが以下の条件式を満足することが好ましい。
１．４３＜ＮＩ＜１．８２      ・・・（４）
４５．０＜νＩ＜９５．０      ・・・（５）
ただし、
ＮＩは、ダブレット接合レンズ成分中の像側レンズのｄ線での屈折率、
νＩは、ダブレット接合レンズ成分中の像側レンズのアッベ数、
である。
【００２７】
条件式（４）、（５）は接合レンズ群中の像側レンズの好ましい材料を特定するものである。
条件式（４）の下限値を下回らないように屈折率を確保し、像側レンズの像側面の曲率を適度に抑えやすくすることが諸収差の補正上好ましい。
条件式（４）の上限値を上回らないように屈折率を適度に抑えることで像側レンズの材料の分散を低く抑えやすくなり、倍率色収差の補正に有利となる。
条件式（５）の下限値を下回らないようにして像側レンズの分散を低くすることで倍率の色収差の補正に有利となる。
条件式（５）の上限値を上回らないようにすることで像側レンズの材料のコストを下げられ、加工も行いやすい材料となる。
【００２８】
また、ダブレット接合レンズ成分中の物体側レンズが以下の条件式を満足することが望ましい。
１．７０＜ＮＯ＜２．２５      ・・・（６）
１５．０＜νＯ＜４５．０      ・・・（７）
ＮＯは、ダブレット接合レンズ成分中の物体側レンズのｄ線での屈折率、
νＯは、ダブレット接合レンズ成分中の物体側レンズのアッベ数、
である。
【００２９】
条件式（６）、（７）は接合レンズ群中の物体側レンズの好ましい材料を特定するものである。
条件式（６）の下限値を下回らないように物体側レンズの屈折率を確保し、物体側レンズの物体側面の曲率を適度に抑えやすくすることが諸収差の補正上好ましい。
条件式（６）の上限値を上回らないようにすることで物体側レンズの材料のコストを下げられ、加工も行いやすい材料となる。
条件式（７）の下限値を下回ると、物体側レンズの材料の分散が大きくなり軸上色収差の発生が大きくなりやすくなる。
条件式（７）の上限値を上回ると、分散が小さくなり、軸上色収差が補正不足となりやすいが、下限値を下回らず上限値を上回らないようにすることで軸上色収差の補正に有利となる。
【００３０】
また、ダブレット接合レンズ成分を含む正レンズ群は、ダブレット接合レンズ成分の物体側に配置された少なくとも１つの正レンズ成分を有することが好ましい。
ただし、レンズ成分は、有効光路中にて空気と接触する面が物体側面と像側面の２面のみであるレンズ体を意味する。
【００３１】
更には、ダブレット接合レンズ成分を含む正レンズ群は、ダブレット接合レンズ成分の物体側に配置された複数の正レンズ成分を有することが好ましい。
正レンズ群中の正レンズ成分を接合レンズ成分よりも物体側に配置することで、主点を物体側よりにでき、変倍比の確保に有利となる。
更に、正の屈折力を複数のレンズ面で分担することで、収差の発生を低減しやすくなる。
【００３２】
また、ダブレット接合レンズ成分を含む正レンズ群は、物体側から像側に順に、正屈折力の単レンズ成分、物体側から順に正レンズと負レンズからなる正屈折力の接合レンズ成分、ダブレット接合レンズ成分からなることが好ましい。
主点を物体側よりにしつつレンズ群内のレンズ群の屈折力の符号の配置が対称的になり、正レンズ群での収差低減にいっそう有利となる。
【００３３】
また、ダブレット接合レンズ成分が以下の条件式を満足する負の屈折力を有することが好ましい。
−５．００＜ｆｃｅｍ／ｆＩＰ１＜−０．１０      ・・・（８）
ただし、
ｆｃｅｍは、ダブレット接合レンズ成分の焦点距離、
である。
【００３４】
条件式（８）の下限値を下回らないようにして、接合レンズ成分の負の屈折力を確保し、正レンズ群の諸収差をキャンセルする機能を確保することが好ましい。また正レンズ群の主点を前側に出す作用を確保でき、変倍比の十分な確保に有利となる。
条件式（８）の上限値を上回らないようにして、接合レンズ成分の負の屈折力を適度に抑えることで、正レンズ群の諸収差が補正過剰となることを抑え、全変倍域での光学性能の確保に有利となる。
【００３５】
また、ダブレット接合レンズ成分の物体側面とその物体側直前に配置されたレンズの像側面との距離は光軸上よりも周辺部で大きく、且つ以下の条件式を満足することが好ましい。
−３．０＜ＳＦａｉｒ＜２０．０      ・・・（Ｃ）
ただし、
ＳＦａｉｒ＝（Ｒｆｒ＋Ｒｆ）／（Ｒｆｒ−Ｒｆ）であり、
Ｒｆｒは、ダブレット接合レンズ成分の物体側直前に配置されたレンズの像側面の曲率半径、
である。
【００３６】
条件式（Ｃ）の下限値を下回らないようにすることで、接合レンズ成分が強い負屈折力とならないように構成でき、このレンズ成分の偏心による高次収差の発生を低減しやすくなる。  
条件式（Ｃ）の上限値を上回らないようにすることで、ダブレット接合レンズ成分直前のレンズ面が強い凹形状となることを抑え、球面収差やコマ収差の低減に有利となる。
【００３７】
物体側レンズグループは、物体側レンズグループ中の少なくとも１つの負屈折力の負レンズ群よりも物体側に配置された正屈折力の正レンズ群を含むことが好ましい。
物体側レンズグループ中に正レンズ群と負レンズ群を配置することで、変倍比の十分な確保や全変倍域における軸上・軸外の諸収差の補正に有利となる。
【００３８】
更には、物体側レンズグループ中の正レンズ群が以下の条件式を満足することが好ましい。
０．２０＜ｆＦＰ／ｆＴ＜１．２０      ・・・（９）
ただし、
ｆＦＰは、物体側レンズグループ中の正レンズ群の焦点距離、
ｆＴは、望遠端におけるズームレンズ全系の焦点距離、
である。
【００３９】
条件式（９）の下限値を下回らないように物体側レンズグループ中の正レンズ群の屈折力を抑えることで、諸収差（特に広角端の歪曲・非点収差、望遠端の色収差・コマ収差）の低減を行いやすくなる。
条件式（９）の上限値を上回らないように正レンズ群の正レンズ群の屈折力を確保することでズームレンズの全長の短縮化に有利となる。
【００４０】
また、物体側レンズグループ中の少なくとも１つの負屈折力の負レンズ群が以下の条件式を満足することが好ましい。
−０．８０＜ｆＦＮ／ｆＴ＜−０．１０      ・・・（１０）
ただし、
ｆＦＮは、物体側レンズグループ中の負レンズ群の焦点距離、
ｆＴは、望遠端におけるズームレンズ全系の焦点距離、
である。
【００４１】
条件式（１０）の下限値を下回らないように負レンズ群の屈折力を確保することで、ズームレンズの全長の短縮化に有利となる。
条件式（１０）の上限値を上回らないように負レンズ群の屈折力を抑えることで収差（特に広角端の歪曲収差・非点収差、望遠端の軸上色収差・倍率色収差・コマ収差）を抑えやすくなる。
【００４２】
また、物体側レンズグループ中の正レンズ群と少なくとも１つの負屈折力の負レンズ群との間の距離が広角端よりも望遠端にて広がり、負レンズ群は広角端から望遠端への変倍に際して移動することが好ましい。
これにより、変倍比の確保に有利となる。
【００４３】
また、物体側レンズグループ中の正レンズ群がズームレンズ中で最も物体側に配置されたレンズ群であり、且つ、広角端から望遠端への変倍の際に位置が固定であることが好ましい。
撮像装置の起動の際、レンズのせり出し時間がない。このため、沈胴式鏡筒に見られるようなカメラの使用状態への立ち上げ時間を節約でき、防水・防塵上も好ましい。
【００４４】
また、物体側レンズグループ中の正レンズ群は光軸を反射する反射面を有することが好ましい。
これにより、物体側から入射する光軸の方向におけるズームレンズの厚みを薄くできる。この結果、撮像装置の薄型化に有利となる。
【００４５】
また、像側レンズグループは、ダブレット接合レンズ成分を含む正レンズ群よりも像側に配置された正屈折力の第２の正レンズ群を含むことが好ましい。
ダブレット接合レンズ成分を含む正レンズ群からの軸外光線は光軸から離れるように射出される。ここで、第２の正レンズ群を配置することで、射出瞳を像面から離しやすくなり、撮像画面の周辺のシェーディングの抑制に有利となる。
【００４６】
また、像側レンズグループ中のダブレット接合レンズ成分を含む正レンズ群が以下の条件式を満足することが好ましい。
０．１５＜ｆＩＰ１／ｆＴ＜１．００      ・・・（１１）
ただし、
ｆＴは、望遠端におけるズームレンズ全系の焦点距離、
である。
【００４７】
条件式（１１）の下限値を下回らないように正レンズ群の屈折力を抑える。これにより、収差（特に全ズーム位置での球面収差、コマ収差、望遠端での軸上色収差）の低減に有利となる。
条件式（１１）の上限値を上回らないように正レンズ群の屈折力を確保することで、ズームレンズ全長の小型化に有利となる。
【００４８】
また、像側レンズグループ中の第２の正レンズ群が以下の条件式を満足することが好ましい。
０．４０＜ｆＩＰ２／ｆＴ＜２．５０      ・・・（１２）
ただし、
ｆＩＰ２は、第２の正レンズ群の焦点距離、
ｆＴは、望遠端におけるズームレンズ全系の焦点距離、
である。
【００４９】
条件式（１２）の下限値を下回らないように第２の正レンズ群の屈折力を抑えることで、非点収差や歪曲収差の補正過剰を抑えやすくなる。
条件式（１２）の上限値を上回らないように第２の正レンズ群の屈折力を確保することで全変倍域における非点収差や歪曲収差の補正に有利となる。
【００５０】
また、像側レンズグループ中のダブレット接合レンズ成分を含む正レンズ群と第２の正レンズ群との間の距離が広角端よりも望遠端にて広がり、ダブレット接合レンズ成分を含む正レンズ群は広角端から望遠端への変倍に際して移動することが好ましい。
【００５１】
ダブレット接合レンズ成分を含む正レンズ群の変倍機能の確保に有利となる。第２の正レンズ群を固定もしくは移動量を少なくすることで、テレセントリック性の確保に有利となる。
【００５２】
また、第２の正レンズ群をフォーカシング時に移動させることが好ましい。
第２の正レンズ群は小型化しやすいのでこのレンズ群をフォーカシングに用いることで制御が容易となる。
【００５３】
また、ズームレンズは以下の条件式を満足することが好ましい。
１．２０＜ＬＴ／ｆＴ＜４．００      ・・・（１３）
ただし、
ＬＴは、望遠端におけるズームレンズの全長、
ｆＴは、望遠端におけるズームレンズ全系の焦点距離、
である。
【００５４】
条件式（１３）の下限値を下回らないようにすることで、ズームレンズ中の各レンズ群の屈折力を抑えやすくなり、収差補正に有利となる。
条件式（１３）の上限値を上回らないようにズームレンズ全長を短縮化し、ズームレンズを小型化することが好ましい。
【００５５】
また、物体側レンズグループと像側レンズグループとの間に配置された明るさ絞りを有することが好ましい。
これにより、入射瞳と射出瞳を適切に設定することができる。最も物体側のレンズの外径を小型化と、テレセントリック性の確保の両立に有利となる。
【００５６】
更には、明るさ絞りは、広角端から望遠端への変倍の際に位置が固定であることが好ましい。
【００５７】
これにより、メカ機構を簡素化できる。また、明るさ絞りを移動させるために必要なデットスペースを確保する必要がなくなり、小型化に有利となる。
【００５８】
また、物体側レンズグループは、物体側から像側に順に、正屈折力の正レンズ群と負レンズ群とからなり、
像側レンズグループは、２つの正屈折力の正レンズ群からなり、そのうちのいずれかの正レンズ群がダブレット接合レンズ成分を含む正レンズ群であることが好ましい。これにより、少ないレンズ群数ながら変倍比の確保に有利となる。
【００５９】
また、物体側レンズグループは、物体側から像側に順に、正屈折力の正レンズ群と負レンズ群とからなり、
像側レンズグループは、３つの正屈折力の正レンズ群からなり、そのうちのいずれかの正レンズ群がダブレット接合レンズ成分を含む正レンズ群であることが好ましい。これにより、像側レンズグループにおける有効経を小さくしやすくなる。
【００６０】
また、物体側レンズグループは、負レンズ群からなり、
像側レンズグループは、２つの正屈折力の正レンズ群からなり、そのうちのいずれかの正レンズ群がダブレット接合レンズ成分を含む正レンズ群であることが好ましい。これにより、沈胴収納時の小型化や画角の確保に有利となる。
【００６１】
また、本発明の撮像装置は、複数のレンズ群を含み、各レンズ群の間の距離を変化させて広角端から望遠端への変倍を行うズームレンズと、
ズームレンズの像側に配置された撮像面を有し且つズームレンズにより撮像面上に形成された像を電気信号に変換する撮像素子と、を有し、
ズームレンズが上述のいずれかに記載のズームレンズであることを特徴とするものである。
【００６２】
更に好ましくは、ズームレンズによるディストーションを含んだ電気信号を、画像処理によりディストーションを補正した画像信号に変換する画像変換部を有することを特徴とするものである。
【００６３】
ディストーションと非点収差はトレードオフの関係になりやすい。ここで、上述の処理回路を有することによりズームレンズ自体のディストーションを許容できる。そのため、ズームレンズによる非点収差の軽減や小型化に有利となる。
【００６４】
また、撮像面上に形成されズームレンズの倍率色収差を含む信号を、倍率色収差を補正した信号に変換する処理回路を有することが好ましい。
これにより、ズームレンズ自体の倍率色収差を許容でき、低コスト化や高性能化に有利となる。
【００６５】
上述の各構成や条件式は複数を同時に満足することがより好ましい。
また、各条件式について以下のようにすることがより好ましい。
条件式（１）について、
下限値を０．２５、さらには０．３０とすることがより好ましい。
上限値を０．９０、さらには０．６０とすることがより好ましい。
【００６６】
条件式（３）について、
下限値を０．８、さらには０．９、さらには１．０とすることがより好ましい。
上限値を１５．０、さらには４．０とすることがより好ましい。
【００６７】
条件式（Ａ）について、
下限値を１．５、さらには１．７、さらには１．９とすることがより好ましい。
上限値を２０．０、さらには５．０、さらには３．０とすることがより好ましい。
【００６８】
条件式（Ｂ）について、
下限値を０．３５、さらには０．４０とすることがより好ましい。
上限値を１．２０、さらには１．００とすることがより好ましい。
【００６９】
条件式（２）について、
下限値を−５０、さらには−４０とすることがより好ましい。
上限値を−２５、さらには−３０とすることがより好ましい。
【００７０】
条件式（３’）について、
下限値を１．１、さらには１．２、さらには１．３とすることがより好ましい。
上限値を１５．０、さらには４．０とすることがより好ましい。
【００７１】
条件式（４）について、
下限値を１．４８とすることがより好ましい。
上限値を１．７５、さらには１．６３とすることがより好ましい。
【００７２】
条件式（５）について、
下限値を５０、さらには５５とすることがより好ましい。
上限値を８０、さらには７５とすることがより好ましい。
【００７３】
条件式（６）について、
下限値を１．７２、さらには１．８０、さらには１．９０とすることがより好ましい。
上限値を２．２０、さらには２．１０とすることがより好ましい。
【００７４】
条件式（７）について、
下限値を２０．０、さらには２５．０ことがより好ましい。
上限値を４０．０、さらには３５．０とすることがより好ましい。
【００７５】
条件式（８）について、
下限値を−３．５０、さらには−２．００とすることがより好ましい。
上限値を−０．１５とすることがより好ましい。
【００７６】
条件式（Ｃ）について、
下限値を−２．０、さらには−１．０、さらには０．０とすることがより好ましい。
上限値を１０．０、さらには６．０、さらには３．０とすることがより好ましい。
【００７７】
条件式（９）について、
下限値を０．３０、さらには０．４０とすることがより好ましい。
上限値を０．９０、さらには０．６０とすることがより好ましい。
【００７８】
条件式（１０）について、
下限値を−０．６０、さらには−０．４０とすることがより好ましい。
上限値を−０．２０、さらには−０．２５とすることがより好ましい。
【００７９】
条件式（１１）について、
下限値を０．２５、さらには０．３５とすることがより好ましい。
上限値を０．８０、さらには０．６０とすることがより好ましい。
【００８０】
条件式（１２）について、
下限値を０．６０、さらには０．８０とすることがより好ましい。
上限値を２．００、さらには１．５０とすることがより好ましい。
【００８１】
条件式（１３）について、
下限値を１．５５、さらには１．９０とすることがより好ましい。
上限値を３．００、さらには２．５０とすることがより好ましい。
【発明の効果】
【００８２】
本願発明によれば、小サイズ化もしくは変倍比の確保を行っても倍率色収差の変動を抑えやすいズームレンズを提供できる。
更には、沈胴式鏡筒に見られるようなカメラの使用状態への立ち上げ時間（レンズのせり出し時間）がなく、防水・防塵上も好ましく、また、奥行き方向が極めて薄い撮像装置とするためにズームレンズの光路を反射させる構成がとりやすいズームレンズを提供できる。
更には、そのようなズームレンズを備えた撮像装置を提供できる。
【図面の簡単な説明】
【００８３】
【図１】本発明のズームレンズの実施例１の無限遠物点合焦時の広角端（ａ）、望遠端（ｂ）でのレンズ断面図である。
【図２】本発明のズームレンズの実施例２の無限遠物点合焦時の広角端（ａ）、望遠端（ｂ）でのレンズ断面図である。
【図３】本発明のズームレンズの実施例３の無限遠物点合焦時の広角端（ａ）、望遠端（ｂ）でのレンズ断面図である。
【図４】本発明のズームレンズの実施例４の無限遠物点合焦時の広角端（ａ）、望遠端（ｂ）でのレンズ断面図である。
【図５】本発明のズームレンズの実施例５の無限遠物点合焦時の広角端（ａ）、望遠端（ｂ）でのレンズ断面図である。
【図６】本発明のズームレンズの実施例６の無限遠物点合焦時の広角端（ａ）、望遠端（ｂ）でのレンズ断面図である。
【図７】本発明のズームレンズの実施例７の無限遠物点合焦時の広角端（ａ）、望遠端（ｂ）でのレンズ断面図である。
【図８】本発明のズームレンズの実施例８の無限遠物点合焦時の広角端（ａ）、望遠端（ｂ）でのレンズ断面図である。
【図９】本発明のズームレンズの実施例９の無限遠物点合焦時の広角端（ａ）、望遠端（ｂ）でのレンズ断面図である。
【図１０】実施例１の無限遠物点合焦時の収差図である。
【図１１】実施例２の無限遠物点合焦時の収差図である。
【図１２】実施例３の無限遠物点合焦時の収差図である。
【図１３】実施例４の無限遠物点合焦時の収差図である。
【図１４】実施例５の無限遠物点合焦時の収差図である。
【図１５】実施例６の無限遠物点合焦時の収差図である。
【図１６】実施例７の無限遠物点合焦時の収差図である。
【図１７】実施例８の無限遠物点合焦時の収差図である。
【図１８】実施例９の無限遠物点合焦時の収差図である。
【図１９】歪曲収差の補正を説明する図である。
【図２０】本発明による光路折り曲げズームレンズを組み込んだデジタルカメラの外観を示す前方斜視図である。
【図２１】上記デジタルカメラの後方斜視図である。
【図２２】上記デジタルカメラの断面図である。
【図２３】デジタルカメラの主要部の内部回路の構成ブロック図である。
【発明を実施するための形態】
【００８４】
以下に、本発明に係るズームレンズ、撮像装置の実施例を図面に基づいて詳細に説明する。なお、この実施例によりこの発明が限定されるものではない。
【００８５】
以下、本発明のズームレンズの実施例１〜９について説明する。実施例１〜９の無限遠物点合焦時の広角端（ａ）、望遠端（ｂ）のレンズ断面図をそれぞれ図１〜図９に示す。図１〜図９中、第１レンズ群はＧ１、第２レンズ群はＧ２、明るさ（開口）絞りはＳ、第３レンズ群はＧ３、第４レンズ群はＧ４、第５レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００８６】
また、数値データはいずれも無限遠の被写体に合焦した状態でのデータである。各数値の長さの単位はｍｍ、角度の単位は°（度）である。フォーカシングはいずれの実施例も最も像側のレンズ群の移動により行う。さらに、ズームデータは広角端（ＷＥ）、第１の中間焦点距離状態（ＳＴ１）、第２の中間焦点距離状態（ＳＴ２）、第３の中間焦点距離状態（ＳＴ３）、望遠端（ＴＥ）での値である。
【００８７】
また、実施例１から６、８、９のズームレンズでは、５倍程度の高変倍比を有しながら、広角端の半画角が４０度程度と大きく、よく補正された色収差など高い光学仕様や性能を確保し、奥行きが薄く全長も短い結像光学系となっている。
実施例７のズームレンズでは、少ないレンズ枚数で構成しながら光学性能も良好であり、沈胴収納時の小型化も行いやすい結像光学系となっている。
さらに、これらのズームレンズを結像光学系と採用することで、小型で光学性能も良好な電子撮像装置となる。
【００８８】
また、後述する数値データの第３面、第４面が、それぞれ反射プリズムの入射面と射出面に対応する。
第７面は、平面であり、フレア絞りである。Ｉは撮像面である。
さらに、最後の実施例９を除いた他の実施例１〜８において、プリズムを有するレンズ群Ｇ１、明るさ絞りＳ、ローパスフィルターＦ、撮像素子のカバーガラスＣ、撮像素子の撮像面Ｉの空気間隔は相互に一定である。
【００８９】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００９０】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【００９１】
物体側から順に、第１レンズ群Ｇ１は、物体側に凸面を向けた負メニスカスレンズと、光路折り曲げプリズムＰと、両凸正レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと像側に凸面を向けた負メニスカスレンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【００９２】
非球面は、第１レンズ群Ｇ１の両凸正レンズの両面と、第２レンズ群Ｇ２の両凹負レンズの両面と、第３レンズ群Ｇ３の物体側の両凸正レンズの両面と、第４レンズ群Ｇ４の両凸正レンズの両面との８面に用いている。
【００９３】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００９４】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【００９５】
物体側から順に、第１レンズ群Ｇ１は、物体側に凸面を向けた負メニスカスレンズと、光路折り曲げプリズムＰと、両凸正レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと両凹負レンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【００９６】
非球面は、第１レンズ群Ｇ１の両凸正レンズの両面と、第２レンズ群Ｇ２の両凹負レンズの両面と、第３レンズ群Ｇ３の物体側の両凸正レンズの両面と、第４レンズ群Ｇ４の両凸正レンズの両面との８面に用いている。
【００９７】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００９８】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【００９９】
物体側から順に、第１レンズ群Ｇ１は、物体側に凸面を向けた負メニスカスレンズと、光路折り曲げプリズムＰと、両凸正レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと物体側に凸面を向けた負メニスカスレンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【０１００】
非球面は、第１レンズ群Ｇ１の両凸正レンズの両面と、第２レンズ群Ｇ２の両凹負レンズの両面と、第３レンズ群Ｇ３の物体側の両凸正レンズの両面と、第４レンズ群Ｇ４の両凸正レンズの両面との８面に用いている。
【０１０１】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１０２】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【０１０３】
物体側から順に、第１レンズ群Ｇ１は、物体側に凸面を向けた負メニスカスレンズと、光路折り曲げプリズムＰと、両凸正レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと両凹負レンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【０１０４】
非球面は、第１レンズ群Ｇ１の両凸正レンズの両面と、第２レンズ群Ｇ２の両凹負レンズの両面と、第３レンズ群Ｇ３の物体側の両凸正レンズの両面と、第４レンズ群Ｇ４の両凸正レンズの両面との８面に用いている。
【０１０５】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１０６】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【０１０７】
物体側から順に、第１レンズ群Ｇ１は、物体側に凸面を向けた負メニスカスレンズと、光路折り曲げプリズムＰと、両凸正レンズからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと両凹負レンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【０１０８】
非球面は、第１レンズ群Ｇ１の両凸正レンズの両面と、第２レンズ群Ｇ２の両凹負レンズの両面と、第３レンズ群Ｇ３の物体側の両凸正レンズの両面と、第４レンズ群Ｇ４の両凸正レンズの両面との８面に用いている。
【０１０９】
実施例６のズームレンズは、図６に示すように、物体側から順に、正の屈折力の第１レンズ群Ｇ１と、負の屈折力の第２レンズ群Ｇ２と、正の屈折力の第３レンズ群Ｇ３と、明るさ絞りＳと、正の屈折力の第４レンズ群Ｇ４と、正の屈折力の第５レンズ群Ｇ５とを配置している。
【０１１０】
広角端から望遠端にかけての変倍時、第１レンズ群Ｇ１は固定し、第２レンズ群Ｇ２は物体側に移動し、第３レンズ群Ｇ３は固定し、第４レンズ群Ｇ４は物体側に移動する。
第４レンズ群Ｇ４は、像側に移動した後、反転して物体側に移動する。
【０１１１】
物体側から順に、第１レンズ群Ｇ１は、両凹負レンズと、光路折り曲げプリズムＰと、両凸正レンズからなる。第２レンズ群Ｇ２は、両凹負レンズと、両凸正レンズと両凹負レンズの接合レンズとからなる。第３レンズ群Ｇ３は、物体側に凸面を向けた正メニスカスレンズからなる。第４レンズ群Ｇ４は、両凸正レンズと、像側に凸面を向けた正メニスカスレンズと両凹負レンズとの接合レンズと、物体側に凸面を向けた負メニスカスレンズと物体側に凸面を向けた正メニスカスレンズとの接合レンズとからなる。第５レンズ群Ｇ４は、両凸正レンズからなる。
【０１１２】
非球面は、第１レンズ群Ｇ１の両凸正レンズの両面と、第２レンズ群Ｇ２の物体側の両凹負レンズの両面と、第４レンズ群Ｇ４の両凸正レンズの両面と、第５レンズ群Ｇ５の両凸正レンズの両面との８面に用いている。
【０１１３】
実施例７のズームレンズは、図７に示すように、物体側から順に、負の屈折力の第１レンズ群Ｇ１と、明るさ絞りＳと、正の屈折力の第２レンズ群Ｇ２と、正の屈折力の第３レンズ群Ｇ３とを配置している。
【０１１４】
広角端から望遠端にかけての変倍時、第１レンズ群Ｇ１は像側へ移動した後、反転し物体側へ移動し、第２レンズ群Ｇ２は物体側に移動し、第３レンズ群Ｇ３は、物体側に移動した後像側に移動し、さらに、その後、反転して物体側に移動する。
【０１１５】
物体側から順に、第１レンズ群Ｇ１は、物体側に凸面を向けた負メニスカスレンズと、物体側に凸面を向けた正メニスカスレンズからなる。第２レンズ群Ｇ２は、両凸正レンズと、物体側に凸面を向けた負メニスカスレンズと物体側に凸面を向けた正メニスカスレンズとの接合レンズとからなる。第３レンズ群Ｇ３は、両凸正レンズからなる。
【０１１６】
非球面は、第１レンズ群Ｇ１の負メニスカスレンズの像側の面と、第２レンズ群Ｇ２の両凸正レンズの両面と、第３レンズ群Ｇ３の両凸正レンズの像側の面との４面に用いている。
【０１１７】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１８】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【０１１９】
物体側から順に、第１レンズ群Ｇ１は、物体側に凸面を向けた負メニスカスレンズと、光路折り曲げプリズムＰと、両凸正レンズと像側に凸面を向けた正メニスカスレンズとの接合レンズからなる。第２レンズ群Ｇ２は、両凹負レンズと、像側に凸面を向けた正メニスカスレンズと凹平負レンズの接合レンズとからなる。第３レンズ群Ｇ３は、両凸正レンズと、両凸正レンズと像側に凸面を向けた負メニスカスレンズとの接合レンズと、物体側に凸面を向けた負メニスカスレンズと物体側に凸面を向けた正メニスカスレンズとの接合レンズとからなる。第４レンズ群Ｇ４は、両凸正レンズからなる。
【０１２０】
非球面は、第１レンズ群Ｇ１の両凸正レンズの両面と、第３レンズ群Ｇ３の物体側の両凸正レンズの両面と、第４レンズ群Ｇ４の両凸正レンズの両面との６面に用いている。
【０１２１】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２２】
広角端から望遠端にかけての変倍時、第１レンズ群Ｇ１は固定し、第２レンズ群Ｇ２は物体側に移動し、第３レンズ群Ｇ３は像側に移動する。
第４レンズ群Ｇ４は、像側に移動した後物体側に移動し、さらに、その後、反転して像側に移動し、最後に物体側に移動する。
【０１２３】
物体側から順に、第１レンズ群Ｇ１は、物体側に凸面を向けた負メニスカスレンズと、光路折り曲げプリズムＰと、両凸正レンズとからなる。第２レンズ群Ｇ２は、両凹負レンズと、像側に凸面を向けた正メニスカスレンズと両凹負レンズの接合レンズとからなる。第３レンズ群Ｇ３は、両凸正レンズと、両凸正レンズと像側に凸面を向けた負メニスカスレンズとの接合レンズと、両凹負レンズと物体側に凸面を向けた正メニスカスレンズとの接合レンズとからなる。第４レンズ群Ｇ４は、両凸正レンズからなる。
【０１２４】
非球面は、第１レンズ群Ｇ１の両凸正レンズの両面と、第２レンズ群Ｇ２の物体側の両凹負レンズの両面と、第３レンズ群Ｇ３の物体側から２番目の両凸正レンズの物体側の面と負メニスカスレンズの像側の面と、第４レンズ群Ｇ４の両凸正レンズの両面との８面に用いている。
【０１２５】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦNOはＦナンバー、ωは半画角、ＷＥは広角端、ＳＴ１は第１の中間焦点距離状態、ＳＴ２は第２の中間焦点距離状態、ＳＴ３は第３の中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。また、＊は非球面を示す。
【０１２６】
なお、非球面形状は、ｘを光の進行方向を正とした光軸とし、ｙを光軸と直交する方向にとると、下記の式にて表される。
【０１２７】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１２８】
数値実施例１
単位  mm
面データ
面番号       r            d              nd         νd  
物面        ∞            ∞
1         44.268        0.68          2.00069       25.46
2         10.041        2.56
3           ∞          8.05          1.84666       23.78
4           ∞          0.20
5*        17.697        2.69          1.69350       53.21
6*       -11.939       -0.49
7           ∞          可変
8*       -12.054        0.68          1.80610       40.92
9*        33.144        0.60
10       -23.549        1.68          1.92286       20.88
11        -8.026        0.47          1.81600       46.62
12       292.962        可変
13(絞り)    ∞          可変
14*        6.573        2.75          1.49700       81.54
15*      -15.251        0.20
16        16.049        3.86          1.49700       81.54
17        -5.608        0.49          1.72916       54.68
18       -91.909        0.58
19         8.366        0.49          2.00069       25.46
20         4.072        1.92          1.58913       61.14
21         4.667        可変
22*       14.080        1.79          1.53071       55.60
23*      -87.113        可変
24          ∞          0.49          1.51633       64.14
25          ∞          0.49 
26          ∞          0.49          1.51633       64.14
27          ∞          0.36
像面        ∞     
非球面データ
第５面
K=0.000
A4=-1.30296e-05,A6=-1.72516e-07,A8=-4.57973e-08,A10=-3.65013e-11  
第６面
K=0.086
A4=1.58156e-04,A6=-6.04002e-07,A8=-2.35725e-08,A10=-1.70443e-10  
第８面
K=0.000
A4=-8.39738e-05,A6=-8.39070e-06,A8=1.61015e-06,A10=-7.56838e-08  
第９面
K=0.000
A4=-3.54978e-04,A6=4.67756e-06,A8=7.65112e-07,A10=-8.00342e-08  
第１４面
K=0.000
A4=-4.36499e-04,A6=5.54224e-06,A8=-1.82664e-07,A10=2.19117e-09  
第１５面
K=0.000
A4=9.50329e-05,A6=6.87659e-06,A8=-7.97347e-08  
第２２面
K=0.000
A4=-5.98640e-05,A6=1.80063e-05,A8=-4.78540e-06,A10=1.97820e-07  
第２３面
K=0.000
A4=1.21699e-05,A6=-4.87808e-06,A8=-3.87705e-06,A10=1.83990e-07  
ズームデータ
像高    3.84
変倍比  4.8
ＷＥ     ＳＴ1     ＳＴ2     ＳＴ3     ＴＥ
焦点距離       5.13      6.98     10.70     16.98     24.42
ＦＮＯ．       4.00      4.57      5.35      4.72      5.98
画角２ω      75.30     57.48     37.38     24.15     17.25
BF(in air)     4.55      4.46      4.71      4.55      5.13
全長(in air)  53.71     53.71     53.72     53.69     53.73
d7             1.05      2.64      4.94      6.79      7.78  
d12            7.50      5.91      3.62      1.74      0.79  
d13            9.01      7.63      5.96      3.58      0.79  
d21            2.40      3.87      5.29      7.83     10.04  
d23            3.05      2.96      3.22      3.05      3.63  
群焦点距離
f1=13.41     f2=-8.22     f3=10.39     f4=22.98   
【０１２９】
数値実施例２
単位  mm
面データ
面番号       r            d              nd         νd  
物面        ∞            ∞   
1         45.367        0.70          2.00069       25.46
2         10.211        2.62
3           ∞          8.15          1.84666       23.78
4           ∞          0.20
5*        18.133        2.75          1.69350       53.21
6*       -12.328       -0.50
7           ∞          可変  
8*       -13.044        0.70          1.80610       40.92
9*        27.069        0.61
10       -25.280        1.72          1.92286       20.88
11        -8.311        0.48          1.81600       46.62
12     45349.404        可変
13(絞り)    ∞          可変
14*        7.124        2.82          1.49700       81.54
15*      -12.115        0.20
16        15.022        3.68          1.49700       81.54
17       -11.056        0.50          1.72916       54.68
18        39.806        0.59
19         9.681        0.50          2.00069       25.46
20         4.151        1.96          1.58913       61.14
21         5.150        可変
22*       13.625        1.89          1.53071       55.60
23*      -58.989        可変
24          ∞          0.50          1.51633       64.14
25          ∞          0.50
26          ∞          0.50          1.51633       64.14
27          ∞          0.37
像面        ∞     
非球面データ
第５面
K=0.000
A4=-1.22163e-05,A6=-2.34407e-07,A8=-4.06884e-08,A10=-2.99503e-11  
第６面
K=0.140
A4=1.46270e-04,A6=-6.27948e-07,A8=-2.03499e-08,A10=-1.52656e-10  
第８面
K=0.000
A4=-1.88973e-04,A6=-6.18139e-06,A8=1.82271e-06,A10=-9.11203e-08  
第９面
K=0.000
A4=-4.30157e-04,A6=4.38462e-06,A8=1.43704e-06,A10=-1.22668e-07  
第１４面
K=0.000
A4=-4.86418e-04,A6=7.93842e-07,A8=-4.63155e-08,A10=-8.65107e-10  
第１５面
K=0.000
A4=1.90414e-04,A6=2.21763e-06,A8=1.49314e-08  
第２２面
K=0.000
A4=8.40704e-05,A6=1.56758e-05,A8=-3.92428e-06,A10=1.49197e-07  
第２３面
K=0.000
A4=2.40464e-04,A6=-3.02607e-06,A8=-3.51649e-06,A10=1.51937e-07  
ズームデータ
像高    3.84
変倍比  4.8
ＷＥ     ＳＴ1     ＳＴ2     ＳＴ3     ＴＥ
焦点距離       5.13      6.98     10.69     16.97     24.41
ＦＮＯ．       4.00      4.64      5.42      4.71      5.98
画角２ω      75.32     57.92     37.59     24.15     17.20
BF(in air)     4.61      4.43      4.76      4.58      5.17
全長(in air)  54.80     54.80     54.81     54.78     54.82
d7             1.07      2.60      5.02      7.09      8.11  
d12            7.82      6.29      3.88      1.78      0.79  
d13            9.33      7.76      6.02      3.73      0.79  
d21            2.41      4.15      5.56      8.04     10.38  
d23            3.08      2.90      3.23      3.05      3.65  
群焦点距離
f1=13.99     f2=-8.60     f3=10.76     f4=21.05   
【０１３０】
数値実施例３
単位  mm
面データ
面番号       r            d              nd         νd  
物面        ∞            ∞   
1         45.412        0.70          2.00069       25.46
2         10.211        2.62
3           ∞          8.15          1.84666       23.78
4           ∞          0.20
5*        18.525        2.75          1.69350       53.21
6*       -12.193       -0.50
7           ∞          可変 
8*       -10.918        0.70          1.80610       40.92
9*        26.906        0.61
10       -46.388        1.72          1.92286       20.88
11        -9.328        0.47          1.81600       46.62
12       300.524        可変
13(絞り)    ∞          可変
14*        7.032        2.77          1.49700       81.54
15*      -14.045        0.20
16        13.624        3.59          1.49700       81.54
17        -7.326        0.50          1.74400       44.78
18       -23.826        0.59
19        15.833        0.50          1.90366       31.32
20         4.082        1.97          1.48749       70.23
21         4.954        可変
22*       15.665        1.90          1.53071       55.60
23*      -42.652        可変
24           ∞         0.50          1.51633       64.14
25           ∞         0.50
26           ∞         0.50          1.51633       64.14
27           ∞         0.37
像面         ∞     
非球面データ
第５面
K=0.000
A4=-5.64757e-06,A6=-1.75719e-07,A8=-2.58535e-08,A10=-2.99503e-11  
第６面
K=0.126
A4=1.51510e-04,A6=-5.39429e-07,A8=-6.26351e-09,A10=-1.88376e-10  
第８面
K=0.000
A4=2.57960e-06,A6=-8.09928e-06,A8=1.39945e-06,A10=-3.72977e-08  
第９面
K=0.000
A4=-3.16909e-04,A6=4.40570e-06,A8=2.29187e-07,A10=1.93619e-08  
第１４面
K=0.000
A4=-4.65776e-04,A6=2.60559e-06,A8=-7.26532e-08,A10=4.58490e-11  
第１５面
K=0.000
A4=1.87960e-04,A6=2.69455e-06,A8=-6.05279e-10  
第２２面
K=0.000
A4=8.34878e-05,A6=1.55562e-05,A8=-3.05938e-06,A10=1.18360e-07  
第２３面
K=0.000
A4=1.73085e-04,A6=-3.84884e-06,A8=-2.40611e-06,A10=1.12921e-07  
ズームデータ
像高    3.84
変倍比  4.8
ＷＥ     ＳＴ1     ＳＴ2     ＳＴ3     ＴＥ
焦点距離       5.12      6.96     10.69     16.96     24.43
ＦＮＯ．       4.00      4.61      5.42      4.74      5.99
画角２ω      75.40     57.80     37.43     24.18     17.24
BF (in air)    4.63      4.42      4.69      4.60      5.18
全長(in air)  54.77     54.78     54.79     54.75     54.78
d7             1.07      2.64      5.06      7.06      8.14  
d12            7.86      6.29      3.88      1.85      0.80  
d13            9.37      7.86      6.08      3.66      0.79  
d21            2.41      4.13      5.64      8.15     10.44  
d23            3.10      2.89      3.16      3.07      3.65  
群焦点距離
f1=14.02     f2=-8.63     f3=10.78     f4=21.83   
【０１３１】
数値実施例４
単位  mm
面データ
面番号       r            d              nd         νd  
物面        ∞            ∞   
1         54.098        0.70          2.00069       25.46
2         11.134        2.62
3           ∞          8.15          1.84666       23.78
4           ∞          0.20
5*        15.428        2.75          1.69350       53.21
6*       -12.285       -0.50
7           ∞          可変  
8*       -16.262        0.70          1.80610       40.92
9*        51.613        0.61
10       -13.276        1.72          1.92286       20.88
11        -6.477        0.48          1.81600       46.62
12        45.774        可変
13(絞り)    ∞          可変
14*        6.941        3.29          1.49700       81.54
15*      -11.820        0.20
16        10.707        2.95          1.49700       81.54
17       -30.181        0.50          1.72916       54.68
18        24.007        0.59
19         8.282        0.50          2.00069       25.46
20         3.684        1.96          1.58913       61.14
21         4.711        可変
22*       22.945        1.37          1.53071       55.60
23*      -50.722        可変
24          ∞          0.50          1.51633       64.14
25          ∞          0.50
26          ∞          0.50          1.51633       64.14
27          ∞          0.37
像面        ∞     
非球面データ
第５面
K=0.000
A4=-2.48617e-05,A6=-5.42504e-07,A8=-3.18389e-08,A10=-2.99503e-11  
第６面
K=0.103
A4=1.88581e-04,A6=-1.34910e-06,A8=-2.36497e-09,A10=-1.94675e-10  
第８面
K=0.000
A4=-2.35584e-04,A6=-1.32204e-05,A8=3.15896e-06,A10=-2.25399e-07  
第９面
K=0.000
A4=-5.13060e-04,A6=4.01716e-06,A8=2.45377e-06,A10=-3.34588e-07
第１４面
K=0.000
A4=-5.82384e-04,A6=1.18291e-05,A8=-2.42737e-07,A10=2.48438e-09  
第１５面
K=0.000
A4=2.34088e-04,A6=1.27093e-05,A8=-1.78669e-08  
第２２面
K=0.000
A4=-3.26238e-04,A6=-2.47744e-05,A8=1.11619e-06,A10=6.14421e-08  
第２３面
K=0.000
A4=-4.45339e-04,A6=-3.24082e-05,A8=9.78994e-07,A10=8.53031e-08  
ズームデータ
像高    3.84
変倍比  4.7
ＷＥ     ＳＴ1     ＳＴ2     ＳＴ3     ＴＥ
焦点距離       5.16      6.94     10.71     17.03     24.30
ＦＮＯ．       4.00      4.70      5.48      4.76      6.00
画角２ω      75.03     58.74     37.57     24.08     17.27
BF (in air)    4.43      3.89      4.50      4.47      5.15
全長 (in air) 51.04     51.04     51.04     51.02     51.06
d7             1.07      2.14      4.19      5.86      6.74  
d12            6.37      5.30      3.25      1.56      0.74  
d13            8.08      6.66      5.15      3.08      0.74  
d21            2.30      4.26      5.16      7.26      8.91  
d23            2.90      2.36      2.97      2.94      3.62  
群焦点距離
f1=12.17     f2=-7.08      f3=9.21     f4=29.96   
【０１３２】
数値実施例５
単位  mm
面データ
面番号       r            d              nd         νd  
物面        ∞            ∞   
1         56.000        0.70          2.00069      25.46
2         10.344        2.53
3           ∞          8.17          1.84666      23.78
4           ∞          0.20
5*        17.890        2.73          1.69300      53.14
6*       -12.358       -0.50
7           ∞          可変  
8*       -14.030        0.70          1.74283      49.33
9*        23.985        0.67
10       -27.503        1.77          1.92286      20.88
11        -8.238        0.50          1.88300      40.76
12     38553.003        可変
13(絞り)    ∞          可変
14*        6.817        3.07          1.49650      81.61
15*      -10.469        0.20
16        14.000        3.07          1.49700      81.54
17       -14.000        0.50          1.58144      40.75
18       150.454        0.59  
19        30.000        0.50          1.90366      31.32
20         4.092        1.98          1.48749      70.23
21         5.494        可変
22*       14.051        2.14          1.53071      55.60
23*      -38.693        可変
24          ∞          0.50          1.51633      64.14
25          ∞          0.50
26          ∞          0.50          1.51633      64.14
27          ∞          0.37
像面        ∞     
非球面データ
第５面
K=0.000
A4=3.64858e-06,A6=-1.83257e-06,A8=1.05230e-07,A10=-3.19943e-09  
第６面
K=0.000
A4=1.54747e-04,A6=-2.12125e-06,A8=1.11612e-07,A10=-3.07120e-09  
第８面
K=0.000
A4=-2.93079e-04,A6=1.70515e-05,A8=-4.32202e-07,A10=-1.94880e-09  
第９面
K=0.000
A4=-5.53530e-04,A6=2.96255e-05,A8=-1.02726e-06,A10=-1.82092e-09  
第１４面
K=0.000
A4=-6.01800e-04,A6=2.02955e-06,A8=-3.78318e-07,A10=-5.72163e-10  
第１５面
K=0.000
A4=3.62117e-04,A6=1.47008e-06,A8=-2.56178e-07  
第２２面
K=0.000
A4=3.32803e-04,A6=-2.78018e-06,A8=-1.08216e-06,A10=3.36353e-09  
第２３面
K=0.000
A4=4.97492e-04,A6=-1.65694e-05,A8=-9.73472e-07,A10=5.71606e-09  
ズームデータ
像高    3.84
変倍比  4.8
ＷＥ     ＳＴ1     ＳＴ2     ＳＴ3     ＴＥ
焦点距離       5.13      7.16     10.82     17.13     24.36
ＦＮＯ．       3.99      4.63      5.31      4.78      5.99
画角２ω      75.37     56.42     37.18     24.10     17.37
BF (in air)    4.39      4.37      4.73      4.65      5.16
全長 (in air) 55.10     55.10     55.11     55.10     55.11
d7             1.05      2.85      5.34      7.33      8.37  
d12            8.27      6.46      3.99      1.98      0.95  
d13            9.37      7.76      6.19      3.75      0.95  
d21            2.51      4.14      5.34      7.86     10.16  
d23            2.86      2.84      3.20      3.12      3.63  
群焦点距離
f1=14.15     f2=-8.69     f3=10.82     f4=19.70   
【０１３３】
数値実施例６
単位  mm
面データ
面番号       r            d              nd         νd  
物面        ∞            ∞   
1       -578.852        0.70          2.00069       25.46
2         12.873        2.62
3           ∞          8.15          1.84666       23.78
4           ∞          0.20
5*        17.816        2.75          1.69350       53.21
6*       -12.743       -0.50
7           ∞          可変  
8*       -13.471        0.70          1.80610       40.92
9*        15.029        0.61
10       132.686        1.72          1.92286       20.88
11       -12.114        0.48          1.81600       46.62
12        28.087        可変
13        11.844        1.00          1.69680       55.53
14        21.386        0.50
15(絞り)    ∞          可変
16*        5.915        3.66          1.49700       81.54
17*       -9.831        0.20
18       -24.187        2.22          1.49700       81.54
19       -10.189        0.50          1.72916       54.68
20        25.707        0.59
21         5.487        0.50          2.00069       25.46
22         3.287        1.96          1.58913       61.14
23         4.914        可変
24*       18.720        1.76          1.53071       55.60
25*      -91.975        可変
26          ∞          0.50          1.51633       64.14
27          ∞          0.50
28          ∞          0.50          1.51633       64.14
29          ∞          0.37
像面        ∞     
非球面データ
第５面
K=0.000
A4=-2.15033e-05,A6=1.17293e-07,A8=-2.05025e-08,A10=-2.99503e-11  
第６面
K=-0.037
A4=1.30960e-04,A6=-8.95756e-08,A8=-1.17337e-08  ,A10=-7.14491e-11  
第８面
K=0.000
A4=2.51129e-04,A6=-3.06449e-06,A8=7.90321e-07,A10=-4.88303e-08  
第９面
K=0.000
A4=7.76422e-05,A6=1.66824e-06,A8=1.26091e-06,A10=-1.10485e-07  
第１６面
K=0.000
A4=-3.72966e-04,A6=-4.48827e-06,A8=6.71360e-08,A10=-5.79224e-09  
第１７面
K=0.000
A4=6.78705e-04,A6=-2.56939e-06,A8=1.59712e-07  
第２４面
K=0.000
A4=-1.41083e-04,A6=8.58495e-06,A8=-4.74602e-06,A10=2.04918e-07  
第２５面
K=0.000
A4=-6.00940e-05,A6=-1.81742e-05,A8=-3.07230e-06,A10=1.55909e-07  
ズームデータ
像高    3.84
変倍比  4.8
ＷＥ     ＳＴ1     ＳＴ2     ＳＴ3     ＴＥ
焦点距離       5.10      6.95     10.68     16.97     24.44
ＦＮＯ．       4.00      4.44      5.31      4.65      5.98
画角２ω      75.58     57.69     37.90     24.36     17.37
BF (in air)    4.97      4.82      4.49      4.96      5.18
全長 (in air) 57.66     57.64     57.67     57.71     57.63
d7             1.07      3.00      5.19      7.50      8.30  
d12            8.07      6.12      3.97      1.70      0.80  
d15           10.80      9.30      6.88      4.37      0.80  
d23            2.43      4.08      6.83      8.87     12.23  
d25            3.44      3.29      2.96      3.43      3.65  
群焦点距離
f1=14.45     f2=-7.58     f3=36.52     f4=13.88     f5=29.47   
【０１３４】
数値実施例７
単位  mm
面データ
面番号       r            d              nd         νd  
物面        ∞            ∞   
1        490.066        1.20          1.74330       49.33
2*         6.604        1.85
3         11.103        2.63          1.90366       31.31
4         29.029        可変 
5(絞り)     ∞          0.68
6*         9.567        2.91          1.58313       59.46
7*       -19.577        0.50
8          8.957        0.70          1.72825       28.46
9          3.817        1.50          1.81600       46.62
10         4.917        可変
11        16.687        1.65          1.58313       59.46
12*     -117.694        可変
13          ∞          0.86          1.54771       62.84
14          ∞          0.50
15          ∞          0.50          1.51633       64.14
16          ∞          0.43
像面        ∞     
非球面データ
第２面
K=-0.666
A4=-2.15412e-05,A6=3.82323e-06,A8=-1.33754e-07,A10=1.57468e-09  
第６面
K=0.000
A4=-3.29456e-04,A6=-6.21006e-06,A8=-2.43365e-07,A10=-5.51107e-09  
第７面
K=0.000
A4=-1.03232e-04,A6=-5.07309e-06,A8=-2.79815e-07,A10=-6.90727e-10  
第１２面
K=0.000
A4=1.13575e-04,A6=-4.19182e-06,A8=7.33370e-08  
ズームデータ
像高    4.54
変倍比  2.9
ＷＥ     ＳＴ1     ＳＴ2     ＳＴ3     ＴＥ
焦点距離       8.16      9.71     12.90     16.95     23.55
ＦＮＯ．       2.85      3.08      3.49      4.12      5.12
画角２ω      60.53     51.24     38.95     29.75     21.44
BF (in air)    6.04      5.88      6.38      5.83      5.15
全長 (in air) 46.52     44.28     41.65     42.47     45.74
d4            18.84     14.95      9.16      5.74      2.58  
d10            8.02      9.83     12.51     17.28     24.39  
d12            4.22      4.07      4.56      4.02      3.34  
群焦点距離
f1=-19.63     f2=14.66     f3=25.18   
【０１３５】
数値実施例８
単位  mm
面データ
面番号       r            d              nd         νd  
物面        ∞            ∞   
1         56.014        0.70          2.00069       25.46
2         10.323        2.53
3           ∞          8.17          1.84666       23.78
4           ∞          0.20
5*        17.593        2.86          1.69300       53.14
6        -12.945        0.20          1.63387       23.38
7*       -12.342       -0.50
8           ∞          可変  
9*       -16.538        0.70          1.74283       49.33
10*       31.222        0.68
11       -18.074        1.76          1.92286       20.88
12        -7.087        0.50          1.88300       40.76
13          ∞          可変
14(絞り)    ∞          可変
15*        6.770        3.08          1.49650       81.61
16*      -10.397        0.20
17        16.766        3.02          1.49700       81.54
18       -12.551        0.50          1.58144       40.75
19       -20.808        0.59
20        68.059        0.50          1.90366       31.32
21         4.088        1.98          1.48749       70.23
22         5.116        可変
23*       22.406        2.14          1.53071       55.60
24*      -21.051        可変
25          ∞          0.50          1.51633       64.14
26          ∞          0.50
27          ∞          0.50          1.51633       64.14
28          ∞          0.37
像面        ∞     
非球面データ
第５面
K=0.000
A4=-2.25736e-05,A6=-1.83853e-08,A8=-4.73922e-08,A10=7.35396e-10  
第７面
K=0.000
A4=1.40732e-04,A6=-4.85505e-07,A8=-2.88278e-08,A10=5.65320e-10  
第９面
K=0.000
A4=-8.59653e-05,A6=-1.04321e-05,A8=1.03489e-06,A10=-6.16807e-08  
第１０面
K=0.000
A4=-2.80335e-04,A6=3.57374e-06,A8=3.53948e-08,A10=-8.01030e-08  
第１５面
K=0.000
A4=-6.53308e-04,A6=1.10245e-06,A8=-1.73593e-07,A10=-4.28254e-09  
第１６面
K=0.000
A4=4.67802e-04,A6=1.29702e-06,A8=-1.75266e-07  
第２３面
K=0.000
A4=1.31599e-04,A6=1.81061e-0 ,A8=-5.80528e-06,A10=2.38071e-07  
第２４面
K=0.000
A4=1.84757e-04,A6=4.33697e-06,A8=-5.06910e-06,A10=2.08712e-07  
ズームデータ
像高    3.84
変倍比  4.7
ＷＥ     ＳＴ1     ＳＴ2     ＳＴ3     ＴＥ
焦点距離       5.14      7.00     10.71     16.98     24.38
ＦＮＯ．       4.00      4.64      5.31      4.74      6.00
画角２ω      75.21     57.78     37.45     24.23     17.31
BF (in air)    4.46      4.28      4.68      4.53      5.11
全長 (in air) 54.93     54.93     54.93     54.92     54.93
d8             1.05      2.59      5.18      7.12      8.18  
d13            8.07      6.53      3.94      2.00      0.95  
d14            9.18      7.67      6.15      3.75      0.95  
d22            2.35      4.04      5.16      7.71      9.93  
d24            2.93      2.75      3.15      3.00      3.58  
群焦点距離
f1=14.00     f2=-8.55     f3=10.54     f4=20.81   
【０１３６】
数値実施例９
単位  mm
面データ
面番号       r            d              nd         νd  
物面        ∞            ∞   
1         56.014        0.70          2.00069       25.46
2         10.323        2.53
3           ∞          8.17          1.84666       23.78
4           ∞          0.20
5*        17.542        2.63          1.69300       53.14
6*       -12.531       -0.50
7           ∞          可変  
8*       -16.351        0.70          1.74283       49.33
9*        33.515        0.68
10       -20.071        1.76          1.92286       20.88
11        -7.259        0.50          1.88300       40.76
12       199.895        可変     
13(絞り)    ∞          可変
14         7.700        3.08          1.49650       81.61
15       -27.933        0.20
16*        7.345        3.02          1.53071       55.60
17       -11.012        0.50          1.63387       23.38
18*      -15.402        0.59
19      -278.085        0.50          1.90366       31.32
20         4.120        1.98          1.48749       70.23
21         5.127        可変
22*       20.731        2.14          1.53071       55.60
23*      -24.244        可変
24          ∞          0.50          1.51633       64.14
25          ∞          0.50
26          ∞          0.50          1.51633       64.14
27          ∞          0.37
像面        ∞     
非球面データ
第５面
K=0.000
A4=-1.65625e-05,A6=1.30172e-08,A8=-5.35337e-08,A10=3.11741e-10  
第６面
K=0.000
A4=1.32054e-04,A6=-4.27951e-07,A8=-3.41025e-08,A10=1.56271e-10  
第８面
K=0.000
A4=-1.29445e-04,A6=-7.10191e-06,A8=1.17172e-06,A10=-5.62911e-08  
第９面
K=0.000
A4=-3.20686e-04,A6=3.28251e-06,A8=6.14341e-07,A10=-6.44199e-08  
第１６面
K=0.000
A4=-6.00887e-04,A6=-2.21356e-05,A8=-3.68538e-07,A10=-4.22280e-08  
第１８面
K=0.000
A4=2.68063e-04,A6=-3.23828e-05,A8=-1.50099e-07,A10=2.72610e-09  
第２２面
K=0.000
A4=-1.43533e-04,A6=1.54852e-05,A8=-4.32164e-06,A10=1.72972e-07  
第２３面
K=0.000
A4=-6.53028e-05,A6=-2.30742e-06,A8=-3.14689e-06,A10=1.36412e-07  
ズームデータ
像高    3.84
変倍比  4.7
ＷＥ     ＳＴ1     ＳＴ2     ＳＴ3     ＴＥ
焦点距離       5.13      6.9      10.69     16.97     24.367
ＦＮＯ．       3.99      4.63      5.25      4.72      5.97
画角２ω      75.28     58.27     37.53     24.22     17.25
FB (in air)    4.63      4.41      4.77      4.57      5.19
全長 (in air) 54.85     54.85     54.85     54.84     54.85
d7             1.05      2.58      5.31      7.19      8.23  
d12            8.13      6.60      3.87      1.99      0.95  
d13            9.29      7.76      6.34      3.81      0.95  
d21            2.37      4.12      5.17      7.91     10.15  
d23            3.10      2.88      3.24      3.04      3.66  
群焦点距離
f1=14.20     f2=-8.63     f3=10.70     f4=21.41   
【０１３７】
以上の実施例１〜９の無限遠物点合焦時の収差図をそれぞれ図１０〜図１８に示す。これらの収差図において、（ａ）は広角端、（ｂ）は第２の中間焦点距離状態、（ｃ）は望遠端における球面収差（ＳＡ）、非点収差（ＡＳ）、歪曲収差（ＤＴ）、倍率色収差（ＣＣ）を示す。各図中、 “ω”は半画角を示す。
【０１３８】
次に、各実施例における条件式（１）〜（１３）、（Ａ）、（Ｂ）、（Ｃ）の値を掲げる。
条件式               実施例1   実施例2   実施例3   実施例4   実施例5
(1) Rr/fIP1                0.450     0.479     0.460     0.512     0.508 
(2)νO-νI               -35.68    -35.68    -38.91    -35.68    -38.91 
(3) SFcem                  3.523     3.273     1.911     3.638     1.448 
(4) NI                     1.58913   1.58913   1.48749   1.58913   1.48749
(5)νI                    61.14     61.14     70.23     61.14     70.23
(6) NO                     2.00069   2.00069   1.90366   2.00069   1.90366
(7)νO                    25.46     25.46     31.32     25.46     31.32
(8) fcem/fIP1             -0.986    -0.897    -0.636    -1.018    -0.554 
(9) fFP/fT                 0.548     0.571     0.572     0.500     0.578 
(10)fFN/fT                -0.336    -0.351    -0.352    -0.291    -0.355 
(11)fIP1/fT                0.424     0.439     0.439     0.377     0.441 
(12)fIP2/fT                0.939     0.859     0.891     1.230     0.805 
(13)LT/fT                  2.209     2.253     2.250     2.110     2.266 
(A)βIP1T/βIP1W           2.140     2.155     2.168     2.139     2.151 
(B)(βIP1T/βIP1W)/(fT/fW)   
0.449     0.452     0.453     0.453     0.449 
(C) SFair                  0.833     1.643     0.202     2.053     1.498 
条件式               実施例6   実施例7   実施例8   実施例9
(1) Rr/fIP1                0.380     0.335     0.486     0.479 
(2)νO-νI               -35.68    -18.16    -38.91    -38.91 
(3) SFcem                 13.637     3.433     1.128     0.964 
(4) NI                     1.58913   1.816     1.48749   1.48749
(5)νI                    61.14     46.62     70.23     70.23
(6) NO                     2.00069   1.72825   1.90366   1.90366
(7)νO                    25.46     28.46     31.32     31.32
(8) fcem/fIP1             -1.617    -0.195    -0.488    -0.439 
(9) fFP/fT                 0.587      -        0.574     0.583 
(10)fFN/fT                -0.340      -       -0.351    -0.354 
(11)fIP1/fT                0.532      -        0.432     0.439 
(12)fIP2/fT                1.000      -        0.853     0.879 
(13)LT/fT                  2.364     1.964     2.267     2.265 
(A)βIP1T/βIP1W           2.749     2.754     2.156     2.153 
(B)(βIP1T/βIP1W)/(fT/fW)   
0.572     0.955     0.455     0.454 
(C) SFair                  2.119     0.372    -0.532    -1.117 
【０１３９】
（歪曲収差の補正）
ところで、本発明のズームレンズを用いたときに、像の歪曲は電気的にデジタル補正する。以下に、像の歪曲をデジタル補正するための基本的概念について説明する。
【０１４０】
例えば、図１９に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１４１】
例えば、図１９において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１４２】
ここで、ｒ'（ω）は次のように表すことができる。
ｒ'（ω）＝α・ｆ・ｔａｎω    （０≦α≦１）
ただし、
ωは被写体半画角、ｆは結像光学系（本発明では、ズームレンズ）の焦点距離、
αは０以上１以下である。
【０１４３】
ここで、前記半径Ｒの円上（像高）に対応する理想像高をＹとすると、
α＝Ｒ／Ｙ＝Ｒ／（ｆ・ｔａｎω）
となる。
【０１４４】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１４５】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１４６】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１４７】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１４８】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１４９】
なお、歪曲補正後の画像が短辺方向の両端において光量が極端に不足することのないようにするには、前記半径Ｒが、次の条件式を満足するのがよい。
【０１５０】
０≦Ｒ≦０．６Ｌs 
ただし、Ｌsは有効撮像面の短辺の長さである。
【０１５１】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１５２】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１５３】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１５４】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１５５】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１５６】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１５７】
（光路折り曲げ式デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１５８】
図２０〜図２２は、本発明によるズームレンズをデジタルカメラの撮影光学系１４１に組み込んだ構成の概念図を示す。図２０はデジタルカメラ１４０の外観を示す前方斜視図、図２１は同後方斜視図、図２２はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１５９】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１６０】
このように構成されたデジタルカメラ１４０は、撮影光学系１４１が５倍程度の高変倍比で、高い光学性能を有するズームレンズであるので、高性能で、奥行き方向が極めて薄い安価なデジタルカメラが実現できる。
【０１６１】
なお、図２２例では、カバー部材１５０として平行平面板を配置しているが、省いてもよい。
【０１６２】
（内部回路構成）
図２３は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１６３】
図２３に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１６４】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１６５】
操作部１１２は各種の入力ボタンやスイッチを備え、これらの入力ボタンやスイッチを介して外部（カメラ使用者）から入力されるイベント情報を制御部に通知する回路である。
【０１６６】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１６７】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１６８】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１６９】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１７０】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１７１】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１７２】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１７３】
以上のように、本発明は、小型化もしくは変倍比の確保を行っても倍率の色収差等の変動を抑えやすいズームレンズに有用である。
【符号の説明】
【０１７４】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
４００…携帯電話
４０２…スピーカ部
４０３…入力ダイアル
４０４…モニター
４０５…撮影光学系
４０６…アンテナ
４０７…撮影光路
１６２…撮像素子チップ
１６０…撮像ユニット
１１２…対物レンズ
１１３…鏡枠
１１４…カバーガラス
１６６…端子
【図１】
2011118037.tif 000003
【図２】
2011118037.tif 000004
【図３】
2011118037.tif 000005
【図４】
2011118037.tif 000006
【図５】
2011118037.tif 000007
【図６】
2011118037.tif 000008
【図７】
2011118037.tif 000009
【図８】
2011118037.tif 000010
【図９】
2011118037.tif 000011
【図１０】
2011118037.tif 000012
【図１１】
2011118037.tif 000013
【図１２】
2011118037.tif 000014
【図１３】
2011118037.tif 000015
【図１４】
2011118037.tif 000016
【図１５】
2011118037.tif 000017
【図１６】
2011118037.tif 000018
【図１７】
2011118037.tif 000019
【図１８】
2011118037.tif 000020
【図１９】
2011118037.tif 000021
【図２０】
2011118037.tif 000022
【図２１】
2011118037.tif 000023
【図２２】
2011118037.tif 000024
【図２３】
2011118037.tif 000025